(57)【要約】【課題】コストアップを招くことなく、げっ歯動物による生物被害を防止できる通信ケーブルを提供する。【解決手段】通信線１１ケーブルコア１２の外周に内部被覆層１３を設け、内部被覆層１３の外周に内部被覆層１３より軟らかい軟質被覆層１４を設けた。げっ歯動物が通信ケーブル１０をかじっても、軟質被覆層１４によって抵抗感がないため、通信ケーブル１０をかじらないようになる。これにより、げっ歯動物による生物被害を防止できる。また、金属テープを用いないので、コストダウンを図ることができる。【選択図】図１
2014013673.tif 000002
【特許請求の範囲】
【請求項１】
通信線と、
前記通信線の外側に設けられた内部被覆層と、
前記内部被覆層の外周に設けられ、前記内部被覆層より軟らかい軟質被覆層とを備えたことを特徴とする通信ケーブル。
【請求項２】
前記軟質被覆層の厚さは、１．５ｍｍ以上かつ２．０ｍｍ以下とされ、
前記軟質被覆層の硬さは、ＪＩＳ  Ｋ６２５３のデュロメータ硬さで５以上かつ３０以下であることを特徴とする請求項１記載の通信ケーブル。
【請求項３】
前記軟質被覆層は、シリコーンゴムからなることを特徴とする請求項１または２に記載の通信ケーブル。
【発明の詳細な説明】
【技術分野】
【０００１】
本発明は、生物被害対策を講じた通信ケーブルに関する。
【背景技術】
【０００２】
従来より、布設した光ファイバケーブル等の通信ケーブルを、リスやネズミ等のげっ歯動物がかじる生物被害が生じている。このため、ケーブル本体の外側に金属テープや樹脂（ポリエチレン）製の被覆を施して保護するＨＳ(High Strength Sheath)ケーブルが用いられている（例えば、特許文献１参照）。特許文献１の通信ケーブルは、光ファイバ集合コアの外周面に波付金属テープを縦添えして重ね合わせ、高強度の金属テープで光ファイバ集合コアを生物被害から保護している。
【先行技術文献】
【特許文献】
【０００３】
【特許文献１】実開昭６２−４６４１８号公報
【発明の概要】
【発明が解決しようとする課題】
【０００４】
しかしながら、特許文献１のような通信ケーブルでは、金属テープを光ファイバ集合コアの外側に巻きつけているため、製造工程が増えると共に、材料費が大きくなり、コストアップを招くという問題がある。
【０００５】
本発明の目的は、コストアップを招くことなく、げっ歯動物による生物被害を防止できる通信ケーブルを提供することにある。
【課題を解決するための手段】
【０００６】
上記課題を解決することのできる本発明の通信ケーブルは、
通信線と、
前記通信線の外側に設けられた内部被覆層と、
前記内部被覆層の外周に設けられ、前記内部被覆層より軟らかい軟質被覆層とを備えたことを特徴とする。
【０００７】
本発明の通信ケーブルにおいて、
前記軟質被覆層の厚さは、１．５ｍｍ以上かつ２．０ｍｍ以下とされ、
前記軟質被覆層の硬さは、ＪＩＳ  Ｋ６２５３のデュロメータ硬さで５以上かつ３０以下であることが好ましい。
また、前記軟質被覆層は、シリコーンゴムで形成してもよい。
【発明の効果】
【０００８】
本発明の通信ケーブルによれば、通信線の外側に内部被覆層が設けられ、内部被覆層の外周に内部被覆層より軟らかい軟質被覆層が設けられている。げっ歯動物は、歯を研ぐ為に通信ケーブルをかじるため、かじっても抵抗感の少ない軟質被覆層をかじることがなくなる。これにより、げっ歯動物が通信ケーブルをかじらなくなるので、げっ歯動物による生物被害を防止できる。また、金属テープを用いないので、コストダウンを図ることができる
【図面の簡単な説明】
【０００９】
【図１】本発明の実施形態に係る通信ケーブルの斜視図である。
【発明を実施するための形態】
【００１０】
以下、本発明に係る通信ケーブルの実施の形態の例を、図面を参照して説明する。
図１は、本実施形態に係る通信ケーブル１０の構造を段階的に示した斜視図である。
本実施形態に係る通信ケーブル１０は、例えば地中に敷設される通信ケーブルである。図１に示すように、通信ケーブル１０は、通信信号を伝送する通信線１１を有するケーブルコア１２を備えている。通信線１１としては、複数本の光ファイバを採用することができる。ケーブルコア１２は、通信線１１の他に抗張力線や、通信線１１の外周に設けられて通信線１１や抗張力線を束ねる押え巻きなどにより構成することができる。
【００１１】
通信ケーブル１０はさらに、通信線１１の外側に設けられた内部被覆層１３と、内部被覆層１３の外側に設けられた軟質被覆層１４とを備えている。すなわち、本実施形態の通信ケーブル１０は、内部被覆層１３および軟質被覆層１４の二層構造の被覆を有している。
【００１２】
内部被覆層１３は、ケーブルコア１２を保護する。この内部被覆層１３は、軟質被覆層１４との親和性の高い材料を選択することが好ましい。内部被覆層１３は、例えばポリエチレン（ＰＥ）で形成することができる。
【００１３】
軟質被覆層１４は、内部被覆層１３よりも軟らかい例えばシリコーンゴムで形成することができる。げっ歯動物がかじったときに抵抗感がないようにするためには、軟質被覆層１４の厚さを２．０ｍｍ以下とし、ケーブルコア１２を保護するために軟質被覆層１４の厚さを１．５ｍｍ以上とすることが好ましい。
【００１４】
軟質被覆層１４の硬さは、一般的に低硬度シリコーンと呼ばれるシリコーンゴムの硬さ程度とする。例えば軟質被覆層１４の硬さを、ＪＩＳ  Ｋ６２５３のデュロメータ硬さで５以上かつ３０以下とする。なお、軟質被覆層１４の材料は、シリコーンゴムに限られず、例えば信越化学工業株式会社のゴムコンパウンドなどを採用することもできる。
【００１５】
このような内部被覆層１３および軟質被覆層１４は、ケーブルコア１２の製造後に、ケーブルコア１２の外側にそれぞれの樹脂材料を押し出して、押し出し被覆することにより一体に形成することができる。
【００１６】
以上のように、本発明の実施形態に係る通信ケーブル１０によれば、ケーブルコア１２の外周に内部被覆層１３が設けられ、内部被覆層１３の外周に内部被覆層１３より軟らかい軟質被覆層１４が設けられている。げっ歯動物は、通信ケーブル１０を食べるために通信ケーブル１０をかじるのではなく、歯を研ぐ為に通信ケーブル１０をかじると考えられている。そのため、げっ歯動物が通信ケーブル１０をかじっても、軟らかい軟質被覆層１４がかじられることになり、げっ歯動物が抵抗感を感じずまた歯を研ぐことができない。そのため、やがてげっ歯動物は通信ケーブル１０をかじらなくなる。これにより、げっ歯動物による生物被害を防止できる。
【００１７】
したがって、本実施形態に係る通信ケーブル１０によれば、内部被覆層１３や軟質被覆層１４によって地中敷設用の通信ケーブルに必要な強度や耐久性を維持したまま、げっ歯動物による生物被害を防止できる。また、従来の通信ケーブルのように金属テープを用いないので、コストダウンや軽量化を図ることができる。また、従来のように金属テープを巻きつけるのではなく、押し出し被覆によって内部被覆層１３や軟質被覆層１４を形成することができるので、製造コストを低減することができる。
【００１８】
また本実施形態に係る通信ケーブル１０によれば、特に軟質被覆層１４にシリコーンゴムを採用した場合には、シリコーンゴムは上述のような軟らかさに加えて、吸着性を有している。このため、げっ歯動物が軟質被覆層１４をかじった時に、げっ歯動物に抵抗感を感じさせず、さらに歯に吸着するような違和感を与えることができ、げっ歯動物に通信ケーブル１０をかじりたいという意欲を減退させることができる。これにより、さらに効果的にげっ歯動物による生物被害を防止できる。
【００１９】
なお、本発明の通信ケーブル１０は、前述した実施形態に限定されるものでなく、適宜な変形，改良等が可能である。
例えば、前述した実施形態においては、通信線１１として光ファイバを用いたものを例示したが、電線を用いてもよい。
【符号の説明】
【００２０】
１０：通信ケーブル、１１：通信線、１２：ケーブル本体、１３：内部被覆層、１４：軟質被覆層
【図１】
2014013673.tif 000003